(57)【要約】      （修正有）【課題】簡単に１０ｃｍを測ることができる編み針及び編み針用シールを提供する。【解決手段】編み針１に、目盛４１と、長さ１０ｃｍの着色された第１の着色エリア４２と、長さ１０ｃｍの第１の着色エリア４２と濃度の異なる色に着色された第２の着色エリア４３と、が設けられている。これにより、色の濃い糸を編んでいるときは第１及び第２の着色エリア４２、４３のうち薄い色に着色されている方に糸を移動させて目数を数え、色の薄い糸を編んでいるときは第１及び第２の着色エリア４２、４３のうち濃い色に着色されている方に糸を移動させて目数を数えることができる。【選択図】図１
0003189151.tif 000002
【実用新案登録請求の範囲】
【請求項１】
長さ１０ｃｍの着色された第１の着色エリアが設けられたことを特徴とする編み針。
【請求項２】
前記第１の着色エリアと異なる色に着色された長さ１０ｃｍの第２の着色エリアが設けられたことを特徴とする請求項１に記載の編み針。
【請求項３】
前記編み針に貼り付けられるシールに、前記着色エリアが設けられている
ことを特徴とする請求項１又は２に記載の編み針。
【請求項４】
編み針に貼りつける編み針用シールであって、
長さ１０ｃｍの着色された着色エリアが設けられたことを特徴とする編み針用シール。
【考案の詳細な説明】
【技術分野】
【０００１】
本考案は、編み針及び編み針用シールに関する。
【背景技術】
【０００２】
編み物を行う際には、１０ｃｍの間に編まれた糸の目数を勘定する必要がある。このため、メジャーを取り出して、編み針上にあてて１０ｃｍを読み取る必要があり、手間がかかっていた。そこで、この手間を省くため、編み針に１ｃｍ、５ｃｍ、１０ｃｍ間隔の目盛が設けられた目盛付き編み針が提案されている（例えば特許文献１）。この編み針によれば、メジャーを取り出す必要がなく、編み針上の目盛を読み取ればよい。
【先行技術文献】
【特許文献】
【０００３】
【特許文献１】実用新案登録第３１１２６９１号公報
【考案の概要】
【考案が解決しようとする課題】
【０００４】
しかしながら、上述した目盛付編み針は、細い編み針に設けられた小さな目盛を数えて１０ｃｍを読み取る必要があり、１０ｃｍを測るのが容易ではなかった。
【０００５】
本考案は、簡単に１０ｃｍを測ることができる編み針及び編み針用シールを提供することを目的とする。
【課題を解決するための手段】
【０００６】
請求項１に記載の本考案は、長さ１０ｃｍの着色された第１の着色エリアが設けられたことを特徴とする編み針である。
【０００７】
請求項２に記載の発考案は、請求項１記載の本考案において、前記第１の着色エリアと異なる色に着色された長さ１０ｃｍの第２の着色エリアが設けられたことを特徴とする。
【０００８】
請求項３に記載の本考案は、請求項１又は２記載の本考案において、前記編み針に貼り付けられるシールに、前記着色エリアが設けられていることを特徴とする。
【０００９】
請求項４に記載の本考案は、編み針に貼りつける編み針用シールであって、長さ１０ｃｍの着色された着色エリアが設けられたことを特徴とする編み針用シールである。
【考案の効果】
【００１０】
請求項１に記載の本考案によれば、長さ１０ｃｍの着色された第１の着色エリアが設けられているため、目盛を数える必要がなく、簡単に１０ｃｍを測ることができる。
【００１１】
請求項２に記載の本考案によれば、第１及び第２の着色エリアが互いに異なる色に着色されているで、例えば色の濃い糸を編んでいるときは第１及び第２の着色エリアのうち薄い色に着色されている方に糸を移動させて目数を数え、色の薄い糸を編んでいるときは第１及び第２の着色エリアのうち濃い色に着色されている方に糸を移動させて目数を数えることができるので、着色エリアと糸とのコントラストによって糸の見分けが付き易い。
【００１２】
請求項３に記載の本考案によれば、着色エリアがシールに設けられているので、手持ちの編み針にシールを貼りつけるだけで簡単に着色エリアを設けることができる。
【００１３】
請求項４に記載の本考案によれば、長さ１０ｃｍの着色された第１の着色エリアが設けられているため、目盛を数える必要がなく、簡単に１０ｃｍを測ることができる。また、着色エリアがシールに設けられているので、手持ちの編み針にシールを貼りつけるだけで簡単に着色エリアを設けることができる。
【図面の簡単な説明】
【００１４】
【図１】本考案の一実施の形態にかかる編み針の側面図である。
【図２】図１に示す編み針用シールの上面図である。
【考案を実施するための形態】
【００１５】
以下、本考案の編み針の一実施形態を、図１、図２を参照して説明する。本考案の編み針１は、長尺の棒状に設けられた編み針本体２と、編み針本体２の一端に設けられたキャップ３と、編み針本体２に貼りつけられた編み針用シール４（以下単にシール４と略記する）と、を備えている。
【００１６】
シール４は、図２に示すように、複数の目盛４１と、長さ１０ｃｍの着色された第１の着色エリア４２（図中網線で示す）と、第１の着色エリア４２とは異なる色に着色された長さ１０ｃｍの第２の着色エリア４３（図中斜線で示す）と、が印刷などにより設けられている。目盛４１は、シール４の短手方向に沿った直線状に設けられ、シール４の長手方向に沿って例えば１ｃｍ間隔で設けられている。
【００１７】
第１の着色エリア４２と第２の着色エリア４３とは、長手方向に離間して設けられている。また、本実施形態では、第１の着色エリア４２の方が、第２の着色エリア４３よりも濃い色に着色されているものとする。
【００１８】
上記シール４は、図２に示すように、編み針本体２に貼りつけられる前は、台紙５に貼り付けられていて、この台紙５から剥がして編み針本体２に巻き付けるように貼りつけられる。これにより、図１に示すように、手持ちの編み針１に、目盛４１、第１の着色エリア４２、第２の着色エリア４３を設けることができる。
【００１９】
上述した編み針１によれば、長さ１０ｃｍの着色された着色エリア４２、４３が設けられているため、目盛を数える必要がなく、簡単に１０ｃｍを測ることができる。
【００２０】
また、上述した編み針１によれば、第１及び第２の着色エリア４２、４３が互いに異なる色に着色され、第１の着色エリア４２の方が第２の着色エリア４３よりも濃い色に着色されている。このため、色の濃い糸を編んでいるときは薄い色に着色されている第２の着色エリア４３上に糸を移動させて目数を数え、色の薄い糸を編んでいるときは濃い色に着色されている第１の着色エリア４２上に糸を移動させて目数を数えることができる。
【００２１】
なお、第１の着色エリア４２と第２の着色エリア４３の色としては、互いに同系色で濃度が異なる色に着色されていてもよいし、異系色で濃度が異なる色に着色されていてもよいし、異系色で濃度が同じ色に着色されていてもよい。何れの場合にも、使用者は編んでいる糸の色とより見分けの付き易い色の領域を選ぶことができ着色エリアが一色だけの場合に比して、目数を数える際に糸の見分けが付きやすい。
【００２２】
また、上述した編み針１によれば、目盛４１、着色エリア４２、４３がシール４に設けられているので、手持ちの編み針１にシール４を貼り付けるだけで簡単に、目盛４１、着色エリア４２、４３を設けることができるので、着色エリア４２、４３と糸とのコントラストによって糸の見分けが付き易い。
【００２３】
なお、上述した実施形態では、目盛４１、着色エリア４２、４３をシール４に設けて、編み針１に貼り付けていたが、これに限ったものではない。編み針本体２に直接、印刷などにより設けることも考えられる。
【００２４】
また、上述した実施形態では、編み針１に２つの着色エリア４２、４３を設けていたが、これに限ったものではなく、１つでも３つ以上でも構わない。編み針１には、少なくとも１つの着色エリア４２、４３が設けられていればよい。
【００２５】
その他、当業者は、従来公知の知見に従い、本考案の編み針を適宜改変することができる。かかる改変によってもなお本考案の編み針１の構成を具備する限り、勿論、本考案の範疇に含まれるものである。
【符号の説明】
【００２６】
１  編み針
４  シール
４２  第１の着色エリア
４３  第２の着色エリア
【図１】
0003189151.tif 000003
【図２】
0003189151.tif 000004